(57)【要約】【課題】ＱＲ情報等のコード付き名刺では名刺に記載された内容のみがＱＲコード化されていた。名刺に記載された以外の情報を入手することが困難であった。【解決手段】名刺に記載された名刺記載情報と記載されていない名刺不記載情報、秘密情報をインターネットを介して読み出すことが可能なＱＲ情報、二次元コード等のコード情報を印刷した名刺で、名刺に記載されない名刺不記載情報を読み出す時には、ＩＤとパスワードを入力してサーバーに記憶されたＩＤとパスワードとが一致した時に、ＱＲ情報等のコードを介して読み出すことが出来る。【選択図】図１
2008310637.tif 000002
【特許請求の範囲】
【請求項１】
名刺に記載された名刺記載情報と、記載されていない名刺不記載情報とをインターネットを介してサーバーから読み出すことが可能なＱＲ情報、二次元コード等のコード情報を印刷した名刺。
【請求項２】
名刺に記載された名刺記載情報と、該名刺に記載されない名刺不記載情報を表すＱＲ情報、二次元情報等を含むコード情報を、カメラ付き携帯電話、デジタルカメラ等の撮影機器で撮像してインターネットを介してサーバーに接続するステップと、前記名刺に記載された前記名刺記載情報を読み出すステップと、情報取得者のＩＤ乃至はパスワードを入力するステップと、前記入力されたＩＤ乃至はパスワードをサーバーに記憶されたＩＤ乃至はパスワードとをそれぞれ照合するステップと、両ＩＤ乃至は両パスワードが一致したときに、前記名刺に記載されない情報を読み出すステップとを備えた個人情報等の情報取得方法。
【請求項３】
前記名刺不記載情報の内、さらに秘密性の高い秘密情報を、前記情報取得者が前記ＩＤ及び前記パスワードとは異なるパスワードを入力するステップと、前記入力された前記ＩＤ及び前記異なるパスワードと、サーバーに記憶されたＩＤ及びパスワードが一致した時に、前記秘密性の高い秘密情報を読み出すステップとを備えた請求項２に記載の個人情報等の情報取得方法。
【請求項４】
名刺に記載された名刺記載情報と、該名刺に記載されない名刺不記載情報を表すＱＲ情報、二次元情報等を含むコード情報を、カメラ付き携帯電話、デジタルカメラ等の撮影機器で撮像してインターネットを介してサーバーに接続する接続手段と、前記名刺に記載された前記名刺記載情報を読み出す名刺記載情報情報取得手段と、情報取得者のＩＤ乃至はパスワードを入力する手段と、前記入力されたＩＤとパスワードをサーバーに記憶されたＩＤとパスワードとを照合する手段と、両ＩＤ乃至は両パスワードが一致したときに、前記名刺に記載されない情報を読み出す名刺不記載情報取得手段とを備えた個人情報等の情報取得装置。
【請求項５】
前記名刺不記載情報の内、さらに秘密性の高い秘密情報を、前記情報取得者の前記ＩＤ及び前記パスワードとは異なるパスワードを入力する手段と、前記入力された前記ＩＤ及び前記異なるパスワードと、サーバーに記憶されたＩＤ及びパスワードが一致した時に、前記秘密性の高い秘密情報を読み出す手段とを備えた請求項４に記載の個人情報等の情報取得装置。
【請求項６】
前記名刺不記載情報乃至は前記秘密情報は前記名刺の個人のグループの情報である請求項２及び請求項４に記載の個人情報等の情報取得方法または情報取得装置。
【請求項７】
前記名刺不記載情報乃至は前記秘密情報は前記名刺の個人に関する査定情報である請求項２及び請求項４に記載の個人情報等の情報取得方法または情報取得装置。
【請求項８】
前記名刺不記載情報乃至は前記秘密情報は前記名刺の個人の所属する団体等に関する情報である請求項２及び請求項４に記載の個人情報等の情報取得方法または情報取得装置。
【発明の詳細な説明】
【技術分野】
【０００１】
本発明は、ＱＲコード、二次元コード等のコード情報が印刷された名刺、その名刺から個人情報を含む情報を取得する方法及び装置に関する。
【背景技術】
【０００２】
図４で示すように、名刺２１に記される二次元コードとしてのＱＲコード２６は、名刺２１に記されている会社名２２、役職名２３、氏名２４、住所、電話番号、ファクシミリ番号、携帯電話番号および電子メールアドレス等の文字情報２５に関する情報を符号化し、白黒交互の升目で縦横モザイク状に表示したものである。この名刺２１上のＱＲコード２６を読み取れば、名刺２１のデザインやこれに記されている会社名２２、役職名２３、氏名２４、住所、電話番号、ファクシミリ番号、携帯電話番号および電子メールアドレス等の文字情報２５の字体等に関わらず、正確に名刺２１上の文字情報を入力して容易にＤＢへ登録することが可能となる。(例えば特許文献１参照。)。
【０００３】
【特許文献１】特開２００３−１５４７７４号公報
【発明の開示】
【発明が解決しようとする課題】
【０００４】
以上に述べた名刺に印刷されているＱＲコードは名刺に記載されている文字情報を示すものである。名刺には名刺を所有している人物の所属する企業、その住所、電話番号等を示しているが、その人物の、趣味とか家族とかモットーとかを表示しているわけでなくその人物のほんの僅かな部分しか表示していない。人物を名刺だけでその人なりを判断することが出来ない問題点を有する。
【０００５】
本発明は、上記のような従来の構成が有している問題点を解決するものであり、ＱＲコードから必要に応じて、その人物の情報を入手可能な個人情報を取得する方法を提供することを目的とするものである。
【課題を解決するための手段】
【０００６】
本発明の請求項１は、名刺に記載された名刺記載情報と記載されていない名刺不記載情報をインターネットを介してサーバーから読み出すことが可能なＱＲ情報、二次元コード等のコード情報を印刷した名刺を提供するものである。
【０００７】
本発明の請求項２は、名刺に記載された名刺記載情報と、該名刺に記載されない名刺不記載情報とを表すＱＲ情報、二次元情報等を含むコード情報を、カメラ付き携帯電話、通信機能付きデジタルカメラ等の撮影機器で撮像してインターネットを介してサーバーに接続するステップと、前記名刺に記載された前記名刺記載情報を読み出すステップと、情報取得者のＩＤ乃至はパスワードを入力するステップと、前記入力されたＩＤとパスワードをサーバーに記憶されたＩＤとパスワードとを照合するステップと、両ＩＤ乃至は両パスワードが一致したときに、前記名刺に記載されない情報を読み出すステップとを備えた個人情報等の情報取得方法。
【０００８】
本発明の請求項３は、請求項２に従属し、前記名刺不記載情報の内、さらに秘密性の高い情報を表すＱＲ情報、二次元情報等を含むコード情報を、前記情報取得者の前記ＩＤ及び前記パスワードとは異なるパスワードを入力するステップと、前記入力された前記ＩＤ及び前記異なるパスワードをサーバーに記憶されたＩＤ及びパスワードが一致した時に、前記秘密性の高い情報を読み出すステップとを備えた個人情報等の情報取得方法を提供するものである。
【０００９】
本発明の請求項４は、名刺に記載された名刺記載情報と、該名刺に記載されない名刺不記載情報とを表すＱＲ情報、二次元情報等を含むコード情報を、カメラ付き携帯電話、通信機能付きデジタルカメラ等の撮影機器で撮像してインターネットを介してサーバーに接続する接続手段と、前記名刺に記載された前記名刺記載情報を読み出す名刺記載情報読出手段と、情報取得者のＩＤ乃至はパスワードを入力する手段と、前記入力されたＩＤとパスワードをサーバーに記憶されたＩＤとパスワードとを照合する手段と、両ＩＤ乃至は両パスワードが一致したときに、前記名刺に記載されない情報を読み出す名刺不記載情報読出手段とを備えた個人情報等の情報取得装置を提供するものである。
【００１０】
本発明の請求項５は、請求項４に従属し、前記名刺不記載情報の内、さらに秘密性の高い情報を表すＱＲ情報、二次元情報等を含むコード情報を、前記情報取得者の前記ＩＤ及び前記パスワードとは異なるパスワードを入力する手段と、前記入力された前記ＩＤ及び前記異なるパスワードをサーバーに記憶されたＩＤ及びパスワードが一致した時に、前記秘密性の高い情報を読み出す手段とを備えた個人情報等の情報取得装置を提供するものである。
【００１１】
本発明の請求項６は、請求項２及び請求項４に従属し、前記不記載情報乃至は前記秘密情報は前記名刺の個人のグループの情報である個人情報等の情報取得方法または情報取得装置を提供するものである。
【００１２】
本発明の請求項７は、請求項２及び請求項３に従属し、前記不記載情報乃至は前記秘密情報は前記名刺の個人に関する査定情報である個人情報等の情報取得方法または情報取得装置を提供するものである。
【００１３】
本発明の請求項８は、請求項２及び請求項４に従属し、前記不記載情報乃至は前記秘密情報は前記名刺の個人の所属する団体等企業に関する情報である個人情報等の情報取得方法または情報取得装置を提供するものである。
【発明の効果】
【００１４】
上述した本発明の名刺、個人情報等の情報取得方法及び情報取得装置は、名刺に印刷されたＱＲコード、二次元コード等のコード情報を通信機能付きデジタルカメラ、カメラ付き携帯電話等の撮影機器で撮像してインターネットを介してサーバーに接続して情報を得るが、名刺に記載された情報以外の名刺不記載情報、または秘密情報、例えば名刺に記載の個人のグループの情報、名刺に記載の個人の査定情報、名刺の個人の属している団体の情報等は、情報取得者がＩＤ乃至はパスワードを入力して、サーバーに記憶されたＩＤ乃至はパスワードと照合し、一致した時には読み出すことが出来る。秘密情報を読み出すときは名刺不記載情報を読み出した後に、ＩＤと前述のパスワードとは異なるパスワードを入力して読み出すことができ、機密性を重視した情報取得装置を提供するものである。
【発明を実施するための最良の形態】
【００１５】
以下、本発明の実施の形態を図１〜図３に基づいて説明する。
【００１６】
図１は名刺１にはＱＲコード２、企業名３、役職名４、氏名５で表し、住所・電話番号・ＦＡＸ番号・メールアドレスをまとめて６で表し、これらの情報が印刷されている。ＱＲコード２には企業名３、役職名４、氏名５、住所・電話番号・ＦＡＸ番号・メールアドレス６を含み、それ以外の情報、例えばこの名刺の氏名の人間が属している企業情報、この名刺の氏名の人間が属している営業部の組織名、メンバー、査定情報等の名刺不記載情報、さらに秘密性の高い秘密情報を表す情報が含まれている。
【００１７】
このＱＲコード２を通信機能付きデジタルカメラ、カメラ付き携帯電話等のＣＣＤカメラ７で撮像し、インターネット８を介してサーバー９に接続する。
【００１８】
サーバー９に接続されると、通信機能付きデジタルカメラ、カメラ付き携帯電話等のＣＣＤカメラ７の不図示のモニターにはまず第１の名刺記載情報１０が表示される。名刺記載情報１０をスクロールしていくと下部にクリック部１１があり、クリックすると、このディスプレイを見ている人間のＩＤとパスワードを入力するように指示される。
【００１９】
ＩＤとパスワードを入力すると、サーバー９に記憶されたＩＤ乃至はパスワードの記憶部１２のＩＤ乃至はパスワードが合致すれば、名刺不記載情報１３をみることが出来る。
【００２０】
次に図２はＱＲコード読み込みから名刺不記載情報１３が得られるまでのフローチャートを示す。
【００２１】
Ｓ１でＱＲコードを通信機能付きデジタルカメラ、撮影機能付き携帯電話等のＣＣＤカメラ７で撮像し、インターネット８を介してＳ２で示すようにサーバー９に接続する。Ｓ３で示すように名刺記載情報１０がＣＣＤカメラ７のモニターで閲覧することが出来る。その名刺記載情報をスクロールしていくと下部にクリック部があり、Ｓ４で示すようにここをクリックすると、Ｓ５で示すようにＩＤ、パスワードを入力するように求められ、ＩＤ、パスワードを入力する。Ｓ６で示すようにサーバー９で記憶したＩＤ、パスワードと一致するかどうかを判定し、一致した場合にＳ７で示すように名刺不記載情報１３を閲覧することができる。
【００２２】
もしも入力したＩＤ，パスワードが記憶されたＩＤ、パスワードが一致しない場合は一致するまでＩＤ、パスワードを入力するようになっている。一致するまでのＩＤ、パスワードの入力回数を制限してエラー信号を出して入力を制限してもよい。
【００２３】
名刺記載情報１０は名刺に記載された情報を示し、名刺不記載情報１３は前述したように、例えばこの名刺に記載の氏名の人間が属している企業情報を示す。
【００２４】
ここで名刺記載情報１０を閲覧時にスクロールしてクリック部１１をクリックするようにしているが、名刺不記載情報１３にクリック部１４を設けて、さらにＩＤと別のパスワードを入力してＩＤ、パスワードを記憶した記憶部１５からのＩＤ、パスワードと一致すれば秘密情報１６が得られる。ここで秘密情報は名刺に記載の氏名の人間が属している企業の組織、営業情報、査定情報等の秘密性の高い情報を指す。
【００２５】
図３のフローチャートで説明する。Ｓ７で名刺不記載情報を閲覧時にスクロールして、Ｓ８で示すようにクリック部１４をクリックするとＩＤ、パスワードの入力が求められる。ＩＤと名刺不記載情報を取得時に入力したパスワードと異なるパスワードをＳ９で示すように入力し、Ｓ１０でサーバーの記憶部１５に記憶したＩＤとパスワードと一致するかを判定し、一致した時に、Ｓ７で示すように秘密情報が得られる。
【００２６】
実施例でコード情報としてＱＲコードを例に説明したが、他の二次元コード、バーコード、カラーコード等でもよい。
【００２７】
本発明により、名刺に印刷されたＱＲコード、二次元コード等のコード情報により、名刺に記載されないような名刺不記載情報、秘密情報を、情報取得者のＩＤ、パスワードを入力し、サーバーに記憶したＩＤ、パスワードと一致した時に読出し可能にすることもできる。名刺のスペースが限られているので、名刺記載情報を必要最低限にして、それ以外を名刺に印刷されたＱＲコード、二次元コード等のコード情報にカメラ付き携帯電話、通信機能付きデジタルカメラで撮像してインターネットを介してサーバーより読み出すことができる。
【図面の簡単な説明】
【００２８】
【図１】本発明の実施形態を示すブロック図
【図２】本発明の実施形態を示すフローチャート
【図３】本発明の実施形態を示すフローチャート
【図４】先行技術例
【符号の説明】
【００２９】
１      名刺
２      ＱＲコード
７      ＣＣＤカメラ
８      インターネット
９      サーバー
１０    名刺記載情報
１３    名刺不記載情報
１６    秘密情報
【図１】
2008310637.tif 000003
【図２】
2008310637.tif 000004
【図３】
2008310637.tif 000005
【図４】
2008310637.tif 000006